(57)【要約】【課題】内径の拡大が図られた中空の入力軸、およびその入力軸を備えた減速機を提供する。【解決手段】入力軸２は、第１軸受６Ａおよび第２軸受６Ｂに支持されプーリーＰを介して駆動され内部に空洞Ｃを有する入力軸であって、第１軸受６Ａに支持される第１支持部１２と、第２軸受６Ｂに支持される第２支持部１４と、第１支持部１２に対して第２支持部１４とは反対側の外周面に配置されプーリーＰが取り付けられる取付部１８と、を備える。【選択図】図１
2020190316.tif 000002
【特許請求の範囲】
【請求項１】
第１軸受および第２軸受に支持され駆動部品を介して駆動され内部に空洞を有する入力軸であって、
前記第１軸受に支持される第１支持部と、
前記第２軸受に支持される第２支持部と、
前記第１支持部に対して前記第２支持部とは反対側の外周面に配置され前記駆動部品が取り付けられる取付部と、
を有する入力軸。
【請求項２】
前記第１支持部と前記第２支持部との間で一定の外径で前記取付部と同じ外径を有する外周部を有する請求項１に記載の入力軸。
【請求項３】
前記取付部は前記駆動部品を相対回転不能に支持する
請求項１または請求項２に記載の入力軸。
【請求項４】
前記取付部と前記第１支持部との間の外周面に配置されシール部材にシールされるシール面を備え、
前記取付部はスプライン軸であり、
前記取付部の外径は前記シール面の外径と等しい
請求項１から請求項３のいずれか１項に記載の入力軸。
【請求項５】
出力部品と噛み合う歯車部を備え、
前記取付部はスプライン軸であり、
前記取付部の外径は前記歯車部の歯底の径と等しい
請求項１から請求項４のいずれか１項に記載の入力軸。
【請求項６】
出力部品と噛み合う最大径の歯車部を備え、
前記取付部はスプライン軸であり、
前記取付部の外径は前記歯車部の外径以下である
請求項１から請求項５のいずれか１項に記載の入力軸。
【請求項７】
前記取付部よりも前記第２支持部側の外周面に配置されシール部材にシールされるシール面を備え、
前記取付部はスプライン軸であり、
前記取付部の溝の底部の外径は前記シール面の外径以上である
請求項１から請求項６のいずれか１項に記載の入力軸。
【請求項８】
空洞を形成する内周部、第１軸受に支持された第１支持部、第２軸受に支持された第２支持部、前記第１支持部と前記第２支持部との間で一定の外径を有する外周部、および前記第１支持部に対して前記第２支持部とは反対側の外周に形成され駆動部品が取り付けられる取付部を有する入力軸と、
前記入力軸の回転を減速する減速機構と、
前記減速機構から伝達される前記入力軸の回転力によって回転される出力軸と、
を備える減速機。
【発明の詳細な説明】
【技術分野】
【０００１】
本発明は、入力軸および減速機に関するものである。
【背景技術】
【０００２】
減速機は、中央部に配置された円筒状の入力軸を備え、全体として筒状に形成されたものがある（例えば、特許文献１参照）。入力軸には、減速機に回転力を入力するためのプーリーや歯車等といった駆動部品が取り付けられる場合がある。駆動部品を入力軸に取り付ける方法として、入力軸の端面に雌ねじを形成し、入力軸の端面の雌ねじにねじ込まれたボルト等の締結材により駆動部品を入力軸に締結する方法が取られる。
【先行技術文献】
【特許文献】
【０００３】
【特許文献１】特開２０１０−１０７０５３号公報
【発明の概要】
【発明が解決しようとする課題】
【０００４】
ところで、全体として筒状に形成された減速機においては、入力軸の内側にケーブル等を通すため、入力軸の内径を大きくしたいという要望がある。しかしながら、上述したように入力軸の端面の雌ねじを形成して入力軸に駆動部品を締結する場合、入力軸の肉厚を雌ねじの内径以上に設定する必要がある。このため、入力軸の内径の拡大には限界がある。
【０００５】
そこで本発明は、内径の拡大が図られた中空の入力軸、およびその入力軸を備えた減速機を提供するものである。
【課題を解決するための手段】
【０００６】
本発明の一態様に係る入力軸は、第１軸受および第２軸受に支持され駆動部品を介して駆動され内部に空洞を有する入力軸であって、前記第１軸受に支持される第１支持部と、前記第２軸受に支持される第２支持部と、前記第１支持部に対して前記第２支持部とは反対側の外周面に配置され前記駆動部品が取り付けられる取付部と、を有する。
【０００７】
本発明の一態様に係る入力軸によれば、取付部が外周面に配置されるので、端部に駆動部品を取り付ける場合、従来技術のように入力軸の端面に雌ねじを形成する構成と比較して、入力軸の肉厚を薄くすることが可能となる。したがって、内径の拡大が図られた中空の入力軸を提供できる。
【０００８】
上記態様の入力軸であって、前記第１支持部と前記第２支持部との間で一定の外径で前記取付部と同じ外径を有する外周部を有していてもよい。
【０００９】
上記態様の入力軸であって、前記取付部は前記駆動部品を相対回転不能に支持してもよい。
【００１０】
上記態様の入力軸であって、前記取付部と前記第１支持部との間の外周面に配置されシール部材にシールされるシール面を備え、前記取付部はスプライン軸であり、前記取付部の外径は前記シール面の外径と等しくてもよい。
【００１１】
上記態様の入力軸であって、出力部品と噛み合う歯車部を備え、前記取付部はスプライン軸であり、前記取付部の外径は前記歯車部の歯底の径と等しくてもよい。
【００１２】
上記態様の入力軸であって、出力部品と噛み合う最大径の歯車部を備え、前記取付部はスプライン軸であり、前記取付部の外径は前記歯車部の外径以下であってもよい。
【００１３】
上記態様の入力軸であって、前記取付部よりも前記第２支持部側の外周面に配置されシール部材にシールされるシール面を備え、前記取付部はスプライン軸であり、前記取付部の溝の底部の外径は前記シール面の外径以上であってもよい。
【００１４】
本発明の一態様に係る減速機は、空洞を形成する内周部、第１軸受に支持された第１支持部、第２軸受に支持された第２支持部、前記第１支持部と前記第２支持部との間で一定の外径を有する外周部、および前記第１支持部に対して前記第２支持部とは反対側の外周に形成され駆動部品が取り付けられる取付部を有する入力軸と、前記入力軸の回転を減速する減速機構と、前記減速機構から伝達される前記入力軸の回転力によって回転される出力軸と、を備える。
【００１５】
本発明の一態様に係る減速機によれば、入力軸の取付部が外周面に配置されるので、端部に駆動部品を取り付ける場合、従来技術のように入力軸の端面に雌ねじを形成する構成と比較して、入力軸の肉厚を薄くすることが可能となる。よって、内径の拡大が図られた中空の入力軸が得られる。したがって、入力軸の内側により多くのケーブル等を通すことが可能な減速機を提供できる。
【発明の効果】
【００１６】
本発明によれば、内径の拡大が図られた中空の入力軸、およびその入力軸を備えた減速機を提供できる。
【図面の簡単な説明】
【００１７】
【図１】実施形態に係る減速機の一部を破断した側面図である。
【発明を実施するための形態】
【００１８】
以下、本発明の実施形態に係る入力軸２を備えた減速機１について添付の図面を参照して説明する。本実施形態の減速機１は、例えばロボットアームの関節部等に適用される偏心揺動型の歯車伝動装置である。
【００１９】
最初に実施形態の減速機１の概略構成について説明する。
図１は、実施形態に係る減速機の一部を破断した側面図である。
図１に示すように、減速機１は、内部に空洞Ｃを有する入力軸２と、入力軸２の回転を減速する減速機構３と、減速機構３から伝達される入力軸２の回転力によって回転される出力軸としてのキャリア４と、減速機構３を収容するケース５と、を備える。減速機１は、入力軸２をケース５に対して回転させ、入力軸２の入力回転から減速した出力回転を得るように、ケース５とキャリア４とを相対回転させる偏心揺動型の歯車伝動装置である。なお、以下の説明では、入力軸２の回転軸線Ｏに沿う方向を軸方向といい、回転軸線Ｏに直交して回転軸線Ｏから放射状に延びる方向を径方向といい、回転軸線Ｏ回りに周回する方向を周方向という。
【００２０】
減速機１は、全体としての回転軸線Ｏを中心とする円筒状に形成されている。ケース５は、回転軸線Ｏを中心とする円筒状に形成されている。キャリア４は、ケース５の内側に配置されている。キャリア４は、ケース５と同軸の円筒状に形成されている。キャリア４は、軸方向の第１側からケース５に覆われている。キャリア４は、ケース５から軸方向の第２側に突出している。キャリア４は、ケース５に対して回転軸線Ｏ回りに相対回転する。キャリア４は、減速機構３を保持している。
【００２１】
入力軸２は、駆動部品としてのプーリーＰから伝達されたトルクを、出力部品としての減速機構３の歯車に伝達する。ここでいう駆動部品は、入力軸２に対してトルクの伝達方向上流側に配置される部品である。出力部品は、入力軸２に対してトルクの伝達方向の下流側に配置される部品である。入力軸２には、図示しないモータの駆動力がベルトＢおよびプーリーＰを介して入力される。入力軸２は、キャリア４の内側に挿入されている。入力軸２は、キャリア４に対して回転軸線Ｏ回りに相対回転する。入力軸２は、第１軸受６Ａおよび第２軸受６Ｂを介してキャリア４に回転可能に支持されている。第１軸受６Ａおよび第２軸受６Ｂは、互いに軸方向に離間して配置されている。第１軸受６Ａは、第２軸受６Ｂよりも軸方向の第１側に配置されている。
【００２２】
入力軸２には、第１シール部材７Ａおよび第２シール部材７Ｂが装着されている。第１シール部材７Ａおよび第２シール部材７Ｂは、第１軸受６Ａおよび第２軸受６Ｂを軸方向の両側から挟むように配置されている。第１シール部材７Ａは、第１軸受６Ａに対して第２軸受６Ｂとは反対側で、ケース５と入力軸２との間に配置されている。第２シール部材７Ｂは、第２軸受６Ｂに対して第１軸受６Ａとは反対側で、キャリア４と入力軸２との間に配置されている。
【００２３】
続いて第１実施形態の入力軸２の詳細構成について説明する。
入力軸２は、空洞Ｃを形成する内周部１０と、第１軸受６Ａに支持された第１支持部１２と、第２軸受６Ｂに支持された第２支持部１４と、第１支持部１２と第２支持部１４との間で一定の外径を有する外周部１６と、プーリーＰが取り付けられる取付部１８と、減速機構３の歯車（出力部品）と噛み合う歯車部２０と、第１シール部材７Ａにシールされる第１シール面２２と、第２シール部材７Ｂにシールされる第２シール面２４と、を備える。
【００２４】
内周部１０は、一定の内径で入力軸２の両端部間を軸方向に連続して延びている。内周部１０は、軸方向の両側に開口している。これにより、空洞Ｃは、入力軸２の両端部で入力軸２の外部空間に連続している。
【００２５】
第１支持部１２は、入力軸２の外周面に配置されている。第１支持部１２には、第１軸受６Ａが装着される。
【００２６】
第２支持部１４は、入力軸２の外周面に配置されている。第２支持部１４は、第１支持部１２に対して軸方向の第２側に間隔をあけて配置されている。第２支持部１４には、第２軸受６Ｂが装着される。第２支持部１４の外径は、第１支持部１２の外径と等しい。なお、第２支持部１４の外径は、第１支持部１２の外径よりも小さくてもよい。
【００２７】
第２支持部１４には、第１止め輪溝２６が隣接している。第１止め輪溝２６は、第２支持部１４に対して第１支持部１２とは反対側（軸方向の第２側）に形成されている。第１止め輪溝２６には、第２軸受６Ｂの移動を規制する止め輪８Ａが嵌め込まれている。
【００２８】
外周部１６は、入力軸２の外周面に配置されている。外周部１６は、第１支持部１２と第２支持部１４との間に配置されている。外周部１６は、一定の外径で軸方向に延びている。外周部１６の外径は、第１支持部１２の外径、および第２支持部１４の外径よりも小さい。
【００２９】
取付部１８は、入力軸２の外周面に配置されている。取付部１８は、プーリーＰを相対回転不能に支持する。取付部１８は、プーリーＰと嵌め合うスプライン軸（雄スプライン）である。取付部１８は、第１支持部１２に対して第２支持部１４とは反対側に配置されている。
【００３０】
取付部１８には、第２止め輪溝２８が隣接している。第２止め輪溝２８は、取付部１８に対して第１支持部１２とは反対側に形成されている。第２止め輪溝２８には、プーリーＰの移動を規制する止め輪８Ｂが嵌め込まれている。
【００３１】
歯車部２０は、入力軸２の外周面に配置されている。歯車部２０は、第１支持部１２に対して外周部１６とは反対側で、第１支持部１２に隣接している。歯車部２０は、第１支持部１２と取付部１８との間に配置されている。歯車部２０は、入力軸２で最大径を有する。歯車部２０の歯底の外径は、第１支持部１２の外径と等しい。歯車部２０には、第１軸受６Ａが軸方向で当接している。
【００３２】
第１シール面２２は、入力軸２の外周面に配置されている。第１シール面２２は、第１支持部１２と取付部１８との間に配置されている。第１シール面２２は、歯車部２０と取付部１８との間で歯車部２０に対して間隔をあけて配置され、取付部１８に隣接している。第１シール面２２は、一定の外径で軸方向に延びている。
【００３３】
第２シール面２４は、入力軸２の外周面に配置されている。第２シール面２４は、第２支持部１４に対して外周部１６とは反対側に配置されている。第２シール面２４は、入力軸２における軸方向の第２側の端部に形成されている。第２シール面２４の外径は、第２支持部１４の外径よりも小さい。
【００３４】
取付部１８の外径は、歯車部２０の外径以下である。さらに、取付部１８の外径は、歯車部２０の歯底の外径と等しい。また、取付部１８の外径は、第１シール面２２の外径と等しい。入力軸２の外径は、第１シール面２２よりも軸方向の第１側の全体で第１シール面２２の外径以下になっている。
【００３５】
また、入力軸２の外径は、第１支持部１２よりも軸方向の第２側の全体で、第１支持部１２の外径以下になっている。さらに、入力軸２の外径は、第２支持部１４よりも軸方向の第２側の全体で、第２支持部１４の外径以下になっている。これにより、第１軸受６Ａおよび第２軸受６Ｂを入力軸２の軸方向第２側の端部から装着できる。
【００３６】
以上に説明したように、本実施形態の入力軸２では、取付部１８が外周面に配置される。この構成によれば、入力軸の端部にプーリーＰを取り付ける場合、従来技術のように入力軸の端面に雌ねじを形成する構成と比較して、入力軸２の肉厚を薄くすることが可能となる。したがって、内径の拡大が図られた中空の入力軸２を提供できる。そして、本実施形態の減速機１は、上述した入力軸２を備えるので、入力軸２の内側により多くのケーブル等を通すことが可能となる。
【００３７】
また、入力軸２は、第１支持部１２と第２支持部１４との間で一定の外径を有する外周部１６を備える。外周部１６の外径は第１支持部１２の外径より小さいので、第１軸受６Ａを第２支持部１４側から外周部１６を通過させて第１支持部１２に装着することができる。これにより、第１支持部１２に対して第２支持部１４とは反対側で入力軸２の外径を第１支持部１２の外径よりも大きくできるので、入力軸２の内径の更なる拡大を図ることができる。
【００３８】
また、取付部１８は、プーリーＰを相対回転不能に支持する。この構成によれば、取付部１８を設けたことで従来技術のような締結構造を省略でき、上述した作用効果を奏することができる。
【００３９】
また、入力軸２は、取付部１８と第１支持部１２との間の外周面に配置され第１シール部材７Ａにシールされる第１シール面２２を備える。取付部１８は、スプライン軸である。取付部１８の外径は、第１シール面２２の外径と等しい。ここで、取付部を通過させて第１シール部材を第１シール面に装着する際に、取付部の外径が第１シール面の外径よりも大きいと第１シール部材が損傷する可能性がある。上記構成によれば、取付部１８を通過させて第１シール部材７Ａを第１シール面２２に装着する際に、第１シール部材７Ａが損傷することを抑制できる。
【００４０】
また、取付部１８の外径が第１シール面２２の外径と等しいので、取付部の外径が第１シール面の外径よりも小さい場合と比較して、取付部１８の溝の底部の外径を第１シール面２２の外径に近付けることができる。これにより、取付部１８における入力軸２の肉厚が第１シール面２２における入力軸２の肉厚に対して極端に薄くなることを抑制できる。したがって、入力軸２の強度の低下を抑制しつつ、入力軸２の内径の拡大を図ることができる。
【００４１】
また、入力軸２は、減速機構３の歯車と噛み合う歯車部２０を備える。取付部１８は、スプライン軸である。取付部１８の外径は、歯車部２０の歯底の径と等しい。この構成によれば、歯車部２０の歯底と取付部１８の外周とを同時に加工できる。よって、入力軸２の加工が容易になるので、入力軸２の製造コストの低減を図ることができる。
【００４２】
また、入力軸２は、減速機構３の歯車と噛み合う最大径の歯車部２０を備える。取付部１８は、スプライン軸である。取付部１８の外径は、歯車部２０の外径以下である。ここで、取付部の外径が歯車部の外径よりも大きい構成と歯車部の外径以下の構成とを比較すると、歯車部の外径を同一とした場合、取付部の外径が歯車部の外径よりも大きい構成では入力軸の材料となる管材の外径および肉厚が大きくなる。よって、本実施形態によれば、比較的外径が小さく安価な管材を使用できるとともに、加工も容易になるので、入力軸２の製造コストの低減を図ることができる。
【００４３】
なお、上記実施形態では、取付部１８の外径が第１シール面２２と等しい。しかしながらこれに限定されず、取付部の溝の底部の外径が第１シール面の外径以上であってもよい。これにより、取付部における入力軸の肉厚を第１シール面における入力軸の肉厚と同等以上にすることができる。よって、入力軸の内径を第１シール面の外径に近付けるようにして、入力軸の内径の更なる拡大を図ることができる。
【００４４】
また、上記実施形態では、取付部１８の外径は歯車部２０の歯底の外径と等しく、歯車部２０の歯底の外径は第１支持部１２の外径と等しく、外周部１６の外径は第１支持部１２の外径よりも小さい。すなわち、外周部１６は、取付部１８よりも小さい外径を有する。しかしながらこれに限定されず、外周部は取付部と同じ外径を有していてもよい。これにより、外周部が取付部よりも小さい外径を有している場合と比較して、外周部における入力軸の肉厚が取付部における入力軸の肉厚に対して極端に薄くなることを抑制できる。したがって、入力軸の内径の拡大を図ることができる。
【００４５】
なお、本発明は、図面を参照して説明した上述の実施形態に限定されるものではなく、その技術的範囲において様々な変形例が考えられる。
例えば、上記実施形態では、取付部１８にプーリーＰが取り付けられているが、これに限定されず、例えば歯車が取り付けられてもよい。
【００４６】
また、上記実施形態では、取付部１８はスプライン軸である。しかしながら取付部の構造はこれに限定されない。例えば、取付部は、入力軸、およびプーリー等の駆動部品の両方に組み付けられるキーが入り込むキー溝を備えていてもよい。また、取付部は、駆動部品の一部が嵌り込む凹部を備えてもよい。また、取付部は、駆動部品の内周面に設けられた凹部に嵌り込む凸部を備えてもよい。
【００４７】
その他、本発明の趣旨を逸脱しない範囲で、上記した実施の形態における構成要素を周知の構成要素に置き換えることは適宜可能である。
【符号の説明】
【００４８】
１…減速機  ２…入力軸  ３…減速機構（出力部品）  ６Ａ…第１軸受  ６Ｂ…第２軸受  ７Ａ…第１シール部材（シール部材）  １０…内周部  １２…第１支持部  １４…第２支持部  １６…外周部  １８…取付部  ２０…歯車部  ２２…第１シール面  Ｃ…空洞  Ｐ…プーリー（駆動部品）
【図１】
2020190316.tif 000003